【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】  冷媒流路を有する熱交換チューブと、前記チューブ間に装着されるフィンと、前記チューブが連通接続され、冷媒の送受給を行うヘッダパイプとを備え、チューブ及びフィンに伝わる熱によって熱交換を行う熱交換器において、
前記熱交換チューブは、断面円形の冷媒流路を備え、
前記熱交換チューブの各々は、同一断面であり且つ複数の断面円形の冷媒流路を備え、
更に、前記冷媒流路の断面円形の直径が１ｍｍ以下であることを特徴とする熱交換器。
【請求項２】  前記ヘッダパイプの冷媒流路が断面円形であることを特徴とする前記請求項１記載の熱交換器。
【請求項３】  前記ヘッダパイプの冷媒流路の直径が１０ｍｍを超えない直径であり、ヘッダパイプ肉厚が５ｍｍを超えないことを特徴とする前記請求項２記載の熱交換器。
【請求項４】  前記熱交換チューブは、断面円形の冷媒流路と、冷媒流路を形成しない肉厚部とを備え、
前記熱交換チューブの長手方向端部において、他の部位よりも小さい断面積となるチューブ挿入部が形成されていることを特徴とする前記請求項１乃至３いずれか記載の熱交換器。
【請求項５】  前記熱交換チューブとフィンが交互に積層されて多段層を形成することを特徴とする前記請求項１乃至４いずれか記載の熱交換器。
【請求項６】  前記チューブ及びヘッダパイプ間を通流する冷媒流路を複数に区画する仕切り板がヘッダパイプの要所に配置され、
前記複数の区画に仕切られた各冷媒流路の各区画における総断面積が同一であること特徴とする前記請求項５記載の熱交換器。
【請求項７】  前記チューブの間にフィンを装着して多段積層され、前記チューブ端部がヘッダパイプに連通接続され、
前記多段積層されたチューブ及びフィンの断面長手方向が、外部空気の通風方向に対して直交するように、チューブ、フィン及びヘッダパイプから構成される熱交換器体が、複数配置され、各熱交換器体のヘッダパイプが連通接続されて一体となっていることを特徴とする前記請求項５又は６記載の熱交換器。
【請求項８】  前記通風方向に対してチューブ及びフィンの断面長手方向が直交するように複数の熱交換器体が並列に配置され、各熱交換器体のヘッダパイプが連通接続されて一体となっている熱交換器であって、
各チューブ及びヘッダパイプを通流する媒体が、複数の熱交換器体間を直列又は並列に通流し、複数のチューブ及びフィンに伝わる熱によって熱交換を行うことを特徴とする前記請求項４乃至６いずれか記載の熱交換器。
【請求項９】  前記チューブ及びフィンの断面長手方向が、通風方向に対して直交するように複数の熱交換器体が並列に配置され、各熱交換器体のヘッダパイプが連通接続されて一体となっている熱交換器であって、
前記熱交換チューブ端部に、複数のチューブ挿入部が形成され、前記チューブ端部が各ヘッダパイプに連通接続されていることを特徴とする前記請求項７又は８記載の熱交換器。
【請求項１０】  前記ヘッダパイプ内に複数の冷媒流路が形成されていることを特徴とする前記請求項６乃至９いずれか記載の熱交換器。
【請求項１１】  蛇行状に往復する前記チューブの間に、フィンが装着されていることを特徴とする前記請求項１乃至４いずれか記載の熱交換器。
【請求項１２】  複数の熱交換器体が並列に配置され、各熱交換器体が連通接続されて一体となっていることを特徴とする前記請求項１１記載の熱交換器。
【請求項１３】  前記チューブ及びヘッダパイプは、アルミニウム又はアルミニウム合金を成形してなることを特徴とする前記請求項１乃至１２いずれか記載の熱交換器。
【請求項１４】  前記熱交換器に流出入する冷媒は、気体状態であることを特徴とする前記請求項１乃至１３いずれか記載の熱交換器。
【請求項１５】  前記熱交換器に通流する冷媒は、二酸化炭素（ＣＯ２）であることを特徴とする前記請求項１乃至１４いずれか記載の熱交換器。
【手続補正２】
【補正対象書類名】明細書
【補正対象項目名】００１８
【補正方法】変更
【補正の内容】
【００１８】
【課題を解決するための手段】
本願第１請求項に記載した発明は、冷媒流路を有する熱交換チューブと、前記チューブ間に装着されるフィンと、前記チューブが連通接続され、冷媒の送受給を行うヘッダパイプとを備え、チューブ及びフィンに伝わる熱によって熱交換を行う熱交換器において、前記熱交換チューブは、断面円形の冷媒流路を備え、前記熱交換チューブの各々は、同一断面であり且つ複数の断面円形の冷媒流路を備え、更に、前記冷媒流路の断面円形の直径が１ｍｍ以下である構成の熱交換器である。
【手続補正３】
【補正対象書類名】明細書
【補正対象項目名】００２１
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】変更
【補正の内容】
【００２４】
また、チューブに形成する断面円形の冷媒流路の直径を１ｍｍ以下とすることで、要求される耐圧性を確保することが可能となる。
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】変更
【補正の内容】
【００２７】
本願第２請求項に記載した発明は、前記請求項１記載の発明において、前記ヘッダパイプの冷媒流路が断面円形の熱交換器である。
【手続補正９】
【補正対象書類名】明細書
【補正対象項目名】００２９
【補正方法】変更
【補正の内容】
【００２９】
本願第３請求項に記載した発明は、前記請求項２記載の発明において、前記ヘッダパイプ内径の直径が１０ｍｍを超えない直径であり、ヘッダパイプの肉厚が５ｍｍを超えない熱交換器である。
【手続補正１０】
【補正対象書類名】明細書
【補正対象項目名】００３８
【補正方法】変更
【補正の内容】
【００３８】
本願第４請求項に記載した発明は、前記請求項１乃至３いずれか記載の発明は、媒体流路を有する熱交換チューブと、前記チューブ間に装着されるフィンと、前記チューブを連通接続し、媒体の送受給を行うヘッダパイプを備え、チューブ及びフィンに伝わる熱によって熱交換を行う熱交換器において、前記熱交換チューブは、断面円形の冷媒流路と、冷媒流路を形成しない肉厚部を備え、前記熱交換チューブの長手方向端部において、他の部位よりも小さい断面積となるチューブ挿入部が形成されている構成の熱交換器である。
【手続補正１１】
【補正対象書類名】明細書
【補正対象項目名】００４３
【補正方法】変更
【補正の内容】
【００４３】
本願第５請求項に記載した発明は、前記請求項１乃至４いずれか記載の発明において、前記チューブとフィンが交互に積層されて多段層を形成する熱交換器である。
【手続補正１２】
【補正対象書類名】明細書
【補正対象項目名】００４５
【補正方法】変更
【補正の内容】
【００４５】
本願第６請求項に記載した発明は、前記請求項５に記載した発明において、前記熱交換チューブとフィンが交互に積層されて多断層を形成し、前記チューブ端部がヘッダパイプに連通接続される熱交換器において、チューブ及びヘッダパイプ間を通流する冷媒流路を複数に区画する仕切り板がヘッダパイプの要所に配置され、前記複数の区画に仕切られた各冷媒流路の各区画における総断面積が略同一となる熱交換器である。
【手続補正１３】
【補正対象書類名】明細書
【補正対象項目名】００４７
【補正方法】変更
【補正の内容】
【００４７】
本願第７請求項に記載した発明は、前記請求項５又は６記載の発明において、前記チューブの間にフィンを装着して多段積層され、前記チューブ端部がヘッダパイプに連通接続される熱交換器において、通風方向に対して多段積層されたチューブ及びフィンの断面長手方向が直交するように、チューブ、フィン及びヘッダパイプから構成される熱交換器が、複数配置され、各熱交換器のヘッダパイプが連通接続されて一体となっている構成の熱交換器である。
【手続補正１４】
【補正対象書類名】明細書
【補正対象項目名】００４９
【補正方法】変更
【補正の内容】
【００４９】
本願第８請求項に記載した発明は、前記請求項６又は７いずれか記載の発明において、前記通風方向に対してチューブ及びフィンの断面長手方向が直交するように複数の熱交換器が並列に配置され、各熱交換器のヘッダパイプが連通接続されて一体となっている熱交換器において、各チューブ及びヘッダパイプを通流する媒体が複数の熱交換器間を直列又は並列に通流し、複数のチューブ及びフィンに伝わる熱によって熱交換を行う構成の熱交換器である。
【手続補正１５】
【補正対象書類名】明細書
【補正対象項目名】００５３
【補正方法】変更
【補正の内容】
【００５３】
また、前記請求項９記載の発明は、前記請求項７又は８いずれか記載の発明において、前記通風方向に対してチューブ及びフィンの断面長手方向が直交するように複数の熱交換器が並列に配置され、各熱交換器のヘッダパイプが連通接続されて一体となっている熱交換器は、前記熱交換チューブ端部に、複数のチューブ挿入部が形成され、前記チューブ端部が各ヘッダパイプに連通接続されている熱交換器である。
【手続補正１６】
【補正対象書類名】明細書
【補正対象項目名】００５５
【補正方法】変更
【補正の内容】
【００５５】
前記請求項１０記載の発明は、前記請求項６乃至９記載発明において、前記通風方向に対してチューブ及びフィンの長手方向が直交するように複数の熱交換器が並列に配置され、各チューブ端部が連通接続される熱交換器は、前記ヘッダパイプ内に複数の冷媒流路が形成されている構成の熱交換器である。
【手続補正１７】
【補正対象書類名】明細書
【補正対象項目名】００５７
【補正方法】変更
【補正の内容】
【００５７】
本願第１１請求項に記載した発明は、前記請求項１乃至４いずれか記載の発明において、蛇行状に往復する前記チューブの間に、フィンが装着されている構成の熱交換器である。
【手続補正１８】
【補正対象書類名】明細書
【補正対象項目名】００５９
【補正方法】変更
【補正の内容】
【００５９】
本願第１２請求項に記載した発明は、前記請求項１１記載の発明において、往復するチューブ間にフィンを装着し、チューブ端部がヘッダパイプに連通接続された熱交換器は、往復するチューブ及びフィンの連なるめんが外部空気の通風方向に対して直行するように、複数の熱交換器が並列に配置され、各熱交換器が連通接続されて一体となっている構成の熱交換器である。
【手続補正１９】
【補正対象書類名】明細書
【補正対象項目名】００６１
【補正方法】変更
【補正の内容】
【００６１】
本発明は、一定範囲に制限された外部空気の通風方向に対して、熱交換チューブ及びフィンの連なる面を設置して、同様に、複数の熱交換器を並列に配置して一体としたことにより、外部空気と接触する熱交換面積を拡大して、熱交換性能の向上を図ることができる。本願第１３請求項に記載した発明は、前記請求項１乃至１２いずれか記載の発明において、前記チューブ及びヘッダパイプは、アルミニウム又はアルミニウム合金を成形してなる構成の熱交換器である。
【手続補正２０】
【補正対象書類名】明細書
【補正対象項目名】００６４
【補正方法】変更
【補正の内容】
【００６４】
本願第１４請求項に記載した発明は、前記請求項１乃至１３いずれか記載の熱交換器において、熱交換器に流出入する冷媒は、気体状態である構成の熱交換器である。
【手続補正２１】
【補正対象書類名】明細書
【補正対象項目名】００６７
【補正方法】変更
【補正の内容】
【００６７】
本願第１５請求項に記載した発明は、前記請求項１乃至１４記載の発明において、前記熱交換器に通流する冷媒は、二酸化炭素（ＣＯ２）を用いた熱交換器である。
【手続補正２２】
【補正対象書類名】明細書
【補正対象項目名】０１１７
【補正方法】変更
【補正の内容】
【０１１７】
【発明の効果】
以上説明したように、本発明は、冷媒流路を有する熱交換チューブと、前記チューブ間に装着されるフィンと、前記チューブが連通接続され、冷媒の送受給を行うヘッダパイプとを備え、チューブ及びフィンに伝わる熱によって熱交換を行う熱交換器において、前記熱交換チューブは、断面円形の冷媒流路を備え、前記熱交換チューブの各々は、同一断面であり且つ複数の断面円形の冷媒流路を備え、更に、前記冷媒流路の断面円形の直径が１ｍｍ以下である構成の熱交換器である。
【手続補正２３】
【補正対象書類名】明細書
【補正対象項目名】０１２０
【補正方法】削除
【補正の内容】
【手続補正２４】
【補正対象書類名】明細書
【補正対象項目名】０１２２
【補正方法】削除
【補正の内容】
【手続補正２５】
【補正対象書類名】明細書
【補正対象項目名】０１２３
【補正方法】変更
【補正の内容】
【０１２３】
また、チューブに形成する断面円形の冷媒流路の直径を１ｍｍ以下とすることで、要求される耐圧性を確保することが可能となる。
【手続補正２６】
【補正対象書類名】明細書
【補正対象項目名】０１２４
【補正方法】削除
【補正の内容】
【手続補正２７】
【補正対象書類名】明細書
【補正対象項目名】０１２５
【補正方法】削除
【補正の内容】
【手続補正２８】
【補正対象書類名】明細書
【補正対象項目名】０１２６
【補正方法】変更
【補正の内容】
【０１２６】
本願第２請求項に記載した発明は、前記請求項１記載の発明において、前記ヘッダパイプの冷媒流路が断面円形の熱交換器である。
【手続補正２９】
【補正対象書類名】明細書
【補正対象項目名】０１２８
【補正方法】変更
【補正の内容】
【０１２８】
本願第３請求項に記載した発明は、前記請求項２記載の発明において、前記ヘッダパイプ内径の直径が１０ｍｍを超えない直径であり、ヘッダパイプの肉厚が５ｍｍを超えない熱交換器である。
【手続補正３０】
【補正対象書類名】明細書
【補正対象項目名】０１３４
【補正方法】変更
【補正の内容】
【０１３４】
本願第４請求項に記載した発明は、前記請求項１乃至３いずれか記載の発明は、媒体流路を有する熱交換チューブと、前記チューブ間に装着されるフィンと、前記チューブを連通接続し、媒体の送受給を行うヘッダパイプを備え、チューブ及びフィンに伝わる熱によって熱交換を行う熱交換器において、前記熱交換チューブは、断面円形の冷媒流路と、冷媒流路を形成しない肉厚部を備え、前記熱交換チューブの長手方向端部において、他の部位よりも小さい断面積となるチューブ挿入部が形成されている構成の熱交換器である。
【手続補正３１】
【補正対象書類名】明細書
【補正対象項目名】０１３７
【補正方法】変更
【補正の内容】
【０１３７】
本願第５請求項に記載した発明は、前記請求項１乃至４いずれか記載の発明において、前記チューブとフィンが交互に積層されて多段層を形成する熱交換器である。
【手続補正３２】
【補正対象書類名】明細書
【補正対象項目名】０１３９
【補正方法】変更
【補正の内容】
【０１３９】
本願第６請求項に記載した発明は、前記請求項５に記載した発明において、前記熱交換チューブとフィンが交互に積層されて多断層を形成し、前記チューブ端部がヘッダパイプに連通接続される熱交換器において、チューブ及びヘッダパイプ間を通流する冷媒流路を複数に区画する仕切り板がヘッダパイプの要所に配置され、前記複数の区画に仕切られた各冷媒流路の各区画における総断面積が略同一となる熱交換器である。
【手続補正３３】
【補正対象書類名】明細書
【補正対象項目名】０１４０
【補正方法】削除
【補正の内容】
【手続補正３４】
【補正対象書類名】明細書
【補正対象項目名】０１４２
【補正方法】変更
【補正の内容】
【０１４２】
本願第７請求項に記載した発明は、前記請求項５又は６記載の発明において、前記チューブの間にフィンを装着して多段積層され、前記チューブ端部がヘッダパイプに連通接続される熱交換器において、通風方向に対して多段積層されたチューブ及びフィンの断面長手方向が直交するように、チューブ、フィン及びヘッダパイプから構成される熱交換器が、複数配置され、各熱交換器のヘッダパイプが連通接続されて一体となっている構成の熱交換器である。このように、耐圧性確保のために、冷媒流路を小さくした熱交換器においても、多段積層されたチューブ及びフィンが通風方向に対して並列となるように複数配置され、各ヘッダパイプを連通接続して一体の熱交換器を構成すると、熱交換器を通流する冷媒流量の増大及び伝熱面積の拡大を図ることが可能となり、熱交換性能を向上することが可能となる。
【手続補正３５】
【補正対象書類名】明細書
【補正対象項目名】０１４３
【補正方法】変更
【補正の内容】
【０１４３】
本願第８請求項に記載した発明は、前記請求項６又は７いずれか記載の発明において、前記通風方向に対してチューブ及びフィンの断面長手方向が直交するように複数の熱交換器が並列に配置され、各熱交換器のヘッダパイプが連通接続されて一体となっている熱交換器において、各チューブ及びヘッダパイプを通流する媒体が複数の熱交換器間を直列又は並列に通流し、複数のチューブ及びフィンに伝わる熱によって熱交換を行う構成の熱交換器である。
【手続補正３６】
【補正対象書類名】明細書
【補正対象項目名】０１４６
【補正方法】変更
【補正の内容】
【０１４６】
また、前記請求項９記載の発明は、前記請求項７又は８いずれか記載の発明において、前記通風方向に対してチューブ及びフィンの断面長手方向が直交するように複数の熱交換器が並列に配置され、各熱交換器のヘッダパイプが連通接続されて一体となっている熱交換器は、前記熱交換チューブ端部に、複数のチューブ挿入部が形成され、前記チューブ端部が各ヘッダパイプに連通接続されている熱交換器である。
【手続補正３７】
【補正対象書類名】明細書
【補正対象項目名】０１４８
【補正方法】変更
【補正の内容】
【０１４８】
前記請求項１０記載の発明は、前記請求項６乃至９記載発明において、前記通風方向に対してチューブ及びフィンの長手方向が直交するように複数の熱交換器が並列に配置され、各チューブ端部が連通接続される熱交換器は、前記ヘッダパイプ内に複数の冷媒流路が形成されている構成の熱交換器である。
【手続補正３８】
【補正対象書類名】明細書
【補正対象項目名】０１５０
【補正方法】変更
【補正の内容】
【０１５０】
本願第１１請求項に記載した発明は、前記請求項１乃至４いずれか記載の発明において、蛇行状に往復する前記チューブの間に、フィンが装着されている構成の熱交換器である。このように冷媒が通流する熱交換チューブを蛇行状に往復させ、前記チューブ間にフィンを装着することにより、熱交換面積を拡大して熱交換率を向上することが可能となる。本願第１２請求項に記載した発明は、前記請求項１１記載の発明において、往復するチューブ間にフィンを装着し、チューブ端部がヘッダパイプに連通接続された熱交換器は、往復するチューブ及びフィンの連なるめんが外部空気の通風方向に対して直行するように、複数の熱交換器が並列に配置され、各熱交換器が連通接続されて一体となっている構成の熱交換器である。
【手続補正３９】
【補正対象書類名】明細書
【補正対象項目名】０１５２
【補正方法】変更
【補正の内容】
【０１５２】
本願第１３請求項に記載した発明は、前記請求項１乃至１２いずれか記載の発明において、前記チューブ及びヘッダパイプは、アルミニウム又はアルミニウム合金を成形してなる構成の熱交換器である。
【手続補正４０】
【補正対象書類名】明細書
【補正対象項目名】０１５５
【補正方法】変更
【補正の内容】
【０１５５】
本願第１４請求項に記載した発明は、前記請求項１乃至１３いずれか記載の熱交換器において、熱交換器に流出入する冷媒は、気体状態である構成の熱交換器である。
【手続補正４１】
【補正対象書類名】明細書
【補正対象項目名】０１５８
【補正方法】変更
【補正の内容】
【０１５８】
本願第１５請求項に記載した発明は、前記請求項１乃至１４記載の発明において、前記熱交換器に通流する冷媒は、二酸化炭素（ＣＯ２）を用いた熱交換器である。